【手続補正書】
【提出日】平成17年7月4日(2005.7.4)
【手続補正１】
【補正対象書類名】明細書
【補正対象項目名】０００２
【補正方法】変更
【補正の内容】
【０００２】
【従来の技術】
この種ドラムブレーキ用のブレーキシューは、例えば図８〜図１１に示すよう
な構成が普通である。図８はブレーキシュー２を構成するシューリム３とシュー
ウェブ４の突起溶接前の状態図であって、略短冊状のシューリム３には、その幅
方向の両側部に各３つの直角に折曲されたビード部３ａが形成されており、この
ビード部３ａが図示しない公知のドラムブレーキ装置の静止部材上に可動的に載
置される。又、幅方向の中心線上には複数の溶接突起３ｂ（本図では７箇所）が
突出形成されていると共に、周方向の適当な位置に位置決め用の穴３ｃが穿設さ
れている。通常、この穴３ｃは図９の拡大図に示すような矩形穴、或いは図１０
に示すような丸穴であり、シューウェブ４に対するシューリム３の周方向のずれ
を制限できる形状である。
【手続補正２】
【補正対象書類名】明細書
【補正対象項目名】０００３
【補正方法】変更
【補正の内容】
【０００３】
略三日月状のシューウェブ４には、図示しないシューホールドピンを遊嵌貫通
せしめる挿通穴４ａや図示しないシューリターンスプリングを掛止する切欠き４
ｆが適宜形成されると共に、その外周には前記シューリム３の位置決め用の穴３
ｃに周方向に僅かな隙間を存して嵌合する位置決め用の突起４ｃが形成されてい
る。
通常、前記シューリム３とシューウェブ４は何れもコイル材からプレス順送成
形にて加工され、シューリム３に就いてはその溶接突起３ｂがシューウェブ４の
外周面に略沿うように、プレス曲げやローラ曲げ加工によってＲ曲げ成形されて
いる。
【手続補正３】
【補正対象書類名】明細書
【補正対象項目名】０００４
【補正方法】変更
【補正の内容】
【０００４】
そして、シューリム３とシューウェブ４の突起溶接は図８に示すように、下部
電極（図示せず）で支持したシューウェブ４の外周面上に、該ウェブ４の突起４
ｃにシューリム３の穴３ｃを嵌合して位置合せしながら該リム３の溶接突起３ｂ
を載置する。しかる後、二点鎖線で示す上部電極６を下降させ所定の溶接条件で
以て両者は一体化される。一体化されたシューリム３とシューウェブ４には適宜
防錆処理が施された後に、図示しないブレーキドラムに摩擦係合するブレーキラ
イニング５が図１１に示すように、シューリムの外周面に接着やリベットで以て
固着されてブレーキシュー２が完成する。
【手続補正４】
【補正対象書類名】明細書
【補正対象項目名】０００６
【補正方法】変更
【補正の内容】
【０００６】
＜イ＞  突起溶接後に、シューウェブ４の位置決め用の突起４ｃがシューリム３
のブレーキライニング５接合面から突出すると、ブレーキライニング５の固着時
にこれが折損したり、シューリム３との間に隙間ができて強度不足を招いたり、
或いは、前記隙間が起因して制動時に振動を誘発する等の問題が生じるから、
前記突起４ｃをシューリム３のブレーキライニング５接合面から突出させない設
計が前提条件となる。
然して、従来のように、平板状のシューリム３に単に位置決め用の穴３ｃを穿
設しただけでは、溶接突起３ｂの高さだけシューウェブ４の位置決め用の突起４
ｃとの掛かり代が少なくなるため、前記突起４ｃに対する穴３ｃの位置合せが面
倒で作業能率の低下を招いていた。
＜ロ＞  殊に、下部電極と上部電極６との間に少しでも芯ずれがあると、上部電
極６の下降時にシューリム３に対して片当り（周方向のいずれか一方の端部が先
に当り、他方の端部が浮上る状態）するから、余計に周方向のリム３のずれを起
し易くその管理が煩らわしい。
＜ハ＞  また、上記からリム３のずれを皆無にすることは至難の業であり、選別
工数を要したり、廃品が発生する等不経済であった。
【手続補正５】
【補正対象書類名】明細書
【補正対象項目名】０００７
【補正方法】変更
【補正の内容】
【０００７】
本発明は、以上の問題点を解決するためになされたもので、その目的とすると
ころは、ブレーキシューの突起溶接時におけるシューリムの位置決め作業が容易
で、かつ周方向のずれを発生させない経済性に優れたブレーキシューを提供する
ことにある。
【手続補正６】
【補正対象書類名】明細書
【補正対象項目名】００１５
【補正方法】変更
【補正の内容】
【００１５】
図１〜図３は発明の実施の形態１を示し、図１はシューリム３とシューウェブ
４の突起溶接前の状態を示す正面図、図２は図１の周方向の位置決め部を示す拡
大図、図３は図２の平面図である。
【手続補正７】
【補正対象書類名】明細書
【補正対象項目名】００１６
【補正方法】変更
【補正の内容】
【００１６】
幅方向の両側にビード部３ａが、また幅方向の中心線上に複数の溶接突起３ｂ
が形成されたシューリム３には、幅方向の中心線上の所定の位置に周方向に間隔
を隔てて対向する位置決め用の突起３ｄが前記溶接突起３ｂと同方向に、かつ同
高さにプレスによる切り出し成形で一体に突設されている。これにより、対向す
る突起３ｄ間で周方向の位置決め用の穴３ｃが形成される。また、前記位置決め
用の突起３ｄの高さを溶接突起３ｂの高さに合わせることは必須でなく、多少の
高低差は有ってもよい。要はシューリム３の板厚や溶接突起３ｂの高さを勘案し
て最適高さを決定すればよい。
尚、図３において、前記した対向する位置決め用の突起３ｄが形成する穴３ｃ
の幅方向両側には、夫々左右の突起３ｄが接近する方向に突設部３ｅが形成され
ている。
【手続補正８】
【補正対象書類名】明細書
【補正対象項目名】００１９
【補正方法】変更
【補正の内容】
【００１９】
従って、作業者が前方から位置決め用の突起４ｃ先端を目視確認して作業でき
るし、或いは、シューリム３を左右に僅かに動かして見るだけでその位置決め用
の穴３ｃがシューウェブ４の位置決め用の突起４ｃに嵌合しているか否か、感覚
的な判断が極めて明確となって作業性が向上すると共に、誤作業を完全に防止し
得る。
また、位置決め用の突起３ｄや穴３ｃの形成は、溶接突起３ｂの突起出しやパ
イロット用の穴（図示せず）明けと同時にプレス成形できるから、その加工も簡
単である。しかもシューリム３のＲ曲げ加工時に内Ｒが多少小さくなってもシュ
ーウェブ４の位置決め用の突起４ｃとシューリム３の位置決め用の穴３ｃの掛り
代を確保できるから、この加工も簡単になるし、上下電極に多少の芯ずれが生じ
てもシューリム３の周方向ずれの心配はない。
尚、突起溶接時に位置決め用の突起３ｄも溶接されることから、全体の溶接強
度が向上するし、また本来の溶接突起３ｂの点数削減を図ることも可能である。
更に、シューリム３に形成した突設部３ｅにより、シューウェブ４に対するシ
ューリム３の幅方向のずれを制限し得るため、従来、溶接治具に設置していたシ
ューリム３の幅方向のずれ防止手段に係わる構造を簡略化できるという利点もあ
る。
【手続補正９】
【補正対象書類名】明細書
【補正対象項目名】００２０
【補正方法】変更
【補正の内容】
【００２０】
図４および図５は、発明の実施の形態２を示し、シューリムに形成した位置決
め用の突起の変形例である。図４はシューリム３とシューウェブ４の突起溶接前
における周方向の位置決め部を示す拡大図、図５は図４の平面図である。
【手続補正１０】
【補正対象書類名】明細書
【補正対象項目名】００２２
【補正方法】変更
【補正の内容】
【００２２】
図６および図７は発明の実施の形態３を示し、図６はシューリム３とシュー
ウェブ４の突起溶接前の状態を示す正面図、図７は図６の周方向の位置決め部を
示す拡大図である。
【手続補正１１】
【補正対象書類名】明細書
【補正対象項目名】００２３
【補正方法】変更
【補正の内容】
【００２３】
本実施の形態３は、前記した実施の形態１および２に対してシューウェブ４及
びシューリム３の外形状が異なる。
すなわち、シューウェブ４にはその外周面の位置決め用突起４ｃ両側に窪み４
ｄが形成され、この窪み４ｄにシューリム３に形成した位置決め用の突起３ｄが
没入するように形成されている。これによって、両者３と４の周方向の位置合せ
時に、シューウェブ４の位置決め用の突起４ｃ先端をシューリム３の表面から突
出させることができる。
また、前記した発明の実施の形態１および２におけるシューリム３に形成した
溶接突起３ｂに代えて、シューウェブ４の外周に複数の溶接突起４ｂを形成して
いるが、何れの部品に形成してもよいことは明白である。
【手続補正１２】
【補正対象書類名】明細書
【補正対象項目名】００２６
【補正方法】変更
【補正の内容】
【００２６】
＜イ＞  シューリムに形成された位置決め用の穴部をシューウェブの外周に向け
て突設し、シューウェブに形成された位置決め用の突起との掛かり代が増大する
ようにしたから、目視確認或いは両者の嵌合感覚が明確となり作業性が大幅に向
上すると共に、誤作業を完全に払拭できる。
＜ロ＞  位置決め用の穴と突起との掛かり代が大きいから、シューリムの内Ｒが
多少小さく形成された場合や上下部電極に多少の芯ずれが生じた場合においても
、シューリムの周方向ずれの心配がなくなって、良品の選別をせずに済むし、廃
品が発生しないから非常に経済的である。
＜ハ＞  シューリムに形成された位置決め用の突起を溶接突起に活用し得るから
、全体の溶接強度を向上させることができる。
＜ニ＞  シューリムに形成された周方向位置決め用の突起部に、シューウェブに
対するシューリムの幅方向ずれを制限する手段を形成することにより、溶接治具
構造を簡略化できる。
＜ホ＞  シューリムに形成する位置決め用の突起や穴、およびシューウェブに形
成する位置決め用の突起や窪みの成形は、全て従来のプレス順送成形に組込める
からその加工が簡単である。